(57)【要約】【課題】塵埃の侵入を防ぐことが可能な簡易な構造の光ローゼットの提供。【解決手段】光ローゼット１が身２と、身２に離脱可能に嵌合する蓋３とによって形成される。身２は、底部２１の周縁に第１周壁部２２を有する。第１周壁部２２には、第１周壁部２２を貫通していて、出力用光ケーブル１１を導くことができる溝２６が第１周壁部２２の周方向における複数の部位に形成される。蓋３は、頂部３１の周縁に第２周壁部３２を有する。第２周壁部３２は、第１周壁部２２の内側および外側のいずれかに嵌合するもので、第１周壁部２２の溝２６に進入して、溝２６を塞ぐことが可能な突出部３６を有する。【選択図】図３
2008287081.tif 000002
【特許請求の範囲】
【請求項１】
入力用光ケーブルと出力用光ケーブルとを接続するための光ローゼットであって、
前記出力用光ケーブルの末端部分と前記末端部分に取り付けられた出力用コネクタとを収納可能に形成された身と、前記身に離脱可能に嵌合して前記身を閉じることが可能な蓋とによって前記光ローゼットが形成され、
前記身は、底部と、該底部に対して該底部の周縁から起立する第１周壁部とを有し、前記第１周壁部には、前記出力用光ケーブルを前記身の内側から外側に向かって導くことができるように前記第１周壁部を貫通する溝が前記第１周壁部の周方向における複数の部位に形成されているとともに、前記入力用光ケーブルの末端部分に取り付けられた入力用コネクタを進入退却させる前記光ローゼットの開口の一部分を成す第１開口が形成されており、
前記蓋は、頂部と、該頂部の周縁に形成されていて前記第１周壁部の内側および外側のいずれかに離脱可能に嵌合する第２周壁部とを有し、前記第２周壁部には、前記蓋によって前記身を閉じたときに、前記溝のそれぞれに進入して前記溝を前記身の内外方向において塞ぐことが可能な前記溝に向かっての複数の突出部が形成されているとともに、前記第１開口と協働して前記開口を形成する第２開口が形成されていることを特徴とする前記光ローゼット。
【請求項２】
前記第１，第２開口が協働して形成した前記開口を開閉可能であって閉じる方向へ付勢されたシャッターが設けられている請求項１記載の光ローゼット。
【請求項３】
前記シャッターが前記身と前記蓋との間に介在して一方向において往復スライド運動をするものであり、前記身における前記底部と前記蓋における前記頂部とには前記往復スライド運動をする前記シャッターを案内することが可能であり互いにスライド可能に嵌合するスライド溝とその相手方となる嵌合部とのうちのいずれかが形成されており、前記シャッターには前記いずれかに対する相手方が形成されている請求項２記載の光ローゼット。
【請求項４】
前記身を前記蓋によって閉じたときに前記底部と向かい合う前記蓋の前記頂部における内面には、前記身に収納されている前記コネクタに当接して前記コネクタを前記底部に向かって押圧可能な隆起部が形成されている請求項１〜３のいずれかに記載の光ローゼット。
【発明の詳細な説明】
【技術分野】
【０００１】
この発明は、光ケーブルどうしを接続するのに好適なローゼットに関する。
【背景技術】
【０００２】
従来、屋外から屋内へ導かれた入力側の光ケーブルと、屋内の機器につながる出力側の光ケーブルとを接続するための光ローゼットは公知ないし周知である。例えば、ｈｔｔｐ：／／ｗｗｗ．ｆｕｊｉｋｕｒａ．ｃｏ．ｊｐ／ｃｎｃ／ｂｏｘｅｓ．ｈｔｍｌ（非特許文献１）に掲載の光成端箱ＦＤＢ−ＰＲ−１２ＳＣは、プレ配線モジュール型のもので、入力側の光ケーブルと出力側の光ケーブルとを屋内において接続するのに使用することができる。この光成端箱は、基盤部材とそれにかぶせるカバー部材とで構成されている。基盤部材では、光成端箱の外側から導入された入力側の光ケーブルがモジュール型コネクタにまで延びているから、そのコネクタに出力側のコネクタを差し込むことによって、入力側の光ケーブルと出力側の光ケーブルとを接続することができる。
【非特許文献１】ｈｔｔｐ：／／ｗｗｗ．ｆｕｊｉｋｕｒａ．ｃｏ．ｊｐ／ｃｎｃ／ｂｏｘｅｓ．ｈｔｍｌ
【発明の開示】
【発明が解決しようとする課題】
【０００３】
前記光成端箱の如き光ローゼットでは、入力側の光ケーブルを進入させる位置と、出力側のコネクタを差し込むべき入力側のコネクタの位置とが固定されているから、例えばＦＴＴＨ（Ｆｉｂｅｒ  Ｔｏ  Ｔｈｅ  Ｈｏｍｅ）サービスの作業現場において、入力側の光ケーブルが延びる方向と出力側の光ケーブルが延びる方向とを光成端箱の近傍において調整したいという場合の要望に応えることができない。
【０００４】
そこで、この発明は、入力側の光ケーブルが延びる方向と出力側の光ケーブルが延びる方向とを調整することができる光ローゼットの提供を課題にしている。
【課題を解決するための手段】
【０００５】
前記課題を解決するために、この発明が対象とするのは、入力用光ケーブルと出力用光ケーブルとを接続するための光ローゼットである。
【０００６】
かかる光ローゼットにおいて、この発明が特徴とするところは、次のとおりである。前記出力用光ケーブルの末端部分と前記末端部分に取り付けられた出力用コネクタとを収納可能に形成された身と、前記身に離脱可能に嵌合して前記身を閉じることが可能な蓋とによって前記光ローゼットが形成される。前記身は、底部と、該底部に対して該底部の周縁から起立する第１周壁部とを有する。前記第１周壁部には、前記出力用光ケーブルを前記身の内側から外側に向かって導くことができるように前記第１周壁部を貫通する溝が前記第１周壁部の周方向における複数の部位に形成されている。第１周壁部にはまた、前記入力用光ケーブルの末端部分に取り付けられた入力用コネクタを進入退却させる前記光ローゼットの開口の一部分を成す第１開口が形成されている。前記蓋は、頂部と、該頂部の周縁に形成されていて前記第１周壁部の内側および外側のいずれかに離脱可能に嵌合する第２周壁部とを有する。前記第２周壁部には、前記蓋によって前記身を閉じたときに、前記溝のそれぞれに進入して前記溝を前記身の内外方向において塞ぐことが可能な前記溝に向かっての複数の突出部が形成されているとともに、前記第１開口と協働して前記開口を形成する第２開口が形成されている。
【０００７】
この発明の好ましい実施形態の一つにおいて、前記第１，第２開口が協働して形成した前記開口を開閉可能であって閉じる方向へ付勢されたシャッターが設けられている。
【０００８】
この発明の好ましい実施形態の他の一つにおいて、前記シャッターが前記身と前記蓋との間に介在して一方向において往復スライド運動をするものであり、前記身における前記底部と前記蓋における前記頂部とには前記スライド運動をする前記シャッターを案内することが可能であり互いにスライド可能に嵌合するスライド溝とその相手方となる嵌合部とのうちのいずれかが形成されており、前記シャッターには、前記いずれかに対する相手方が形成されている。
【０００９】
この発明の好ましい実施態様の他の一つにおいて、前記身を前記蓋によって閉じたときに前記底部と向かい合う前記蓋の前記頂部における内面には、前記身に収納されている前記コネクタに当接して前記コネクタを前記底部に向かって押圧可能な隆起部が形成されている。
【発明の効果】
【００１０】
この発明に係る光ローゼットでは、身における第１周壁部の内側または外側に蓋の第２周壁部が嵌合する。第１周壁部と第２周壁部とが嵌合すると、第１周壁部を貫通する溝に第２周壁部の突出部が進入して溝を塞ぐことができる。この光ローゼットに出力用コネクタをセットするときには、蓋を外した身に対して出力用光ケーブルの末端部分を導き入れるために、身に形成されている溝のうちで最も適切な位置にある溝を選び、蓋についてはその溝を塞ぐ第２周壁部の突出部をニッパー等の工具で切り取って、その溝において光ローゼットの内外を貫通させる。その溝に出力用光ケーブルを通し、また、出力用光ケーブルの末端部分に取り付けられた出力用コネクタを身における所定の位置に固定する。その後に身と蓋とを嵌合させる。出力用コネクタは光ローゼットの開口に進入する入力用コネクタと接続することができる。かような光ローゼットは、出力用光ケーブルを光ローゼットに導き入れる位置と、出力用コネクタの収納位置との関係を簡単に調整することができる。
【００１１】
シャッターが設けられている形態の光ローゼットでは、出力用コネクタと入力用コネクタとが接続されていないときには、シャッターが開口を閉じるので、開口からの光ローゼットへの塵埃の侵入を防ぐことができる。
【００１２】
シャッターがスライド運動するものであって、光ローゼットにおける底部と頂部とにシャッターを案内することが可能であり互いにスライド可能に嵌合するスライド溝とその相手方となる嵌合部とのうちのいずれかが形成され、シャッターにはそのいずれかに対する相手方が形成されている形態の光ローゼットでは、シャッターが閉じているときに、シャッターと底部との間、およびシャッターと頂部との間から塵埃が光ローゼットへ侵入することを防ぐことが容易になる。
【００１３】
身に収納された出力用コネクタに当接してこれを押圧することが可能な隆起部を頂部の内面に有する形態の光ローゼットでは、出力用コネクタを、その押圧によって身における所定の位置に納めることができる。また、蓋を閉じた後には、外部からの衝撃や振動によって出力用コネクタが光ローゼットの内部で徒に動くことを防ぐことができる。
【発明を実施するための最良の形態】
【００１４】
添付の図面を参照して、この発明に係る光ローゼットの詳細を説明すると、以下のとおりである。
【００１５】
図１は、光ローゼット１の斜視図である。光ローゼット１は、扁平な直方体に作られていて、互いに分離可能に嵌合した身２と蓋３とを有する。身２と蓋３とには、入力用のコネクタプラグ４（図２参照）が進入退却する開口６が形成されている。ただし、図示の開口６は、その内側に設けられたシャッター７が閉じた状態にある。シャッター７は、開口６を閉じるように付勢されているものであるが、蓋３の上方へ延びる摘み８を矢印Ａ方向へスライドさせることによって開くことができる。シャッター７が開くと、開口６には光ローゼット１に収納された出力用のコネクタソケット１３（図３参照）の先端がのぞき、コネクタプラグ４とコネクタソケット１３との光的接続が可能になる。
【００１６】
図２，３は、使用状態にある光ローゼット１についての図１と同様な図と、光ローゼット１の部分破断分解斜視図である。ただし、図２では実線で示されているコネクタプラグ４と、出力用光ケーブル１１と、入力用光ケーブル１２とが図３では仮想線で示されている。図２の光ローゼット１では、摘み８が矢印Ａ方向へ移動して開口６が開き、その開口６には入力用光ケーブル１２につながるコネクタプラグ４が進入してコネクタソケット１３に接続している。なお、身２は壁に固定されているものであるが、その壁の図示は省略されている。
【００１７】
図３において、身２は、ほぼ矩形の底部２１と、底部２１の周縁から起立した周壁部２２とを有する。周壁部２２には、互いに平行する前方周壁部２２ａと後方周壁部２２ｂ、これら周壁部２２ａ，２２ｂに直交して互いに平行する第１側方壁部２２ｃと第２側方壁部２２ｄが含まれている。前方周壁部２２ａには、開口６の一部分６ａが形成されている。また、前方周壁部２２ａの内側には、前方周壁部２２ａとこれに平行な案内壁２４とに案内されて矢印Ａ方向とその反対方向とにスライド可能なシャッター７が設けられていて、そのシャッター７が、ばね２３（図５参照）によって閉じる方向に付勢されている。シャッター７の頂部７ａには摘み８が形成されている。周壁部２２では、身２の内外に通じるほぼＵ字形の溝２６が周壁部２２の周方向における複数の部位に形成される。図示例では、溝２６として、前方周壁部２２ａ、後方周壁部２２ｂおよび第１側方周壁部２２ｃのそれぞれに、溝２６ａ，２６ｂ，２６ｃのそれぞれが形成されていて、これらの溝２６ａ，２６ｂ，２６ｃのそれぞれに出力用光ケーブル１１を通すことができる。図３には、溝２６ｃに出力用光ケーブル１１を通す例が示されている。第１、第２側方周壁部２２ｃ，２２ｄそれぞれの外面には、フック受け部２７が一対ずつ形成されているが、図３では第２側方周壁部２２ｄに形成されたフック受け部２７のみが示されている。身２の内側には、出力用光ケーブル１１とコネクタソケット１３とを収納するために、コネクタソケット収納部２８ａ、出力用光ケーブル案内部２８ｂ、出力用光ケーブル抑え部２８ｃが形成されている。また、収納部２８ａ近傍の第２側方周壁部２２ｄには、切欠き部２８ｅが形成されていて、収納部２８ａに納めたコネクタソケット１３を摘み出すときに、その切り欠き部２８ｅに指先を入れることができる。案内部２８ｂは、底部２１から起立するリブによって形成されていて、そのリブには直線状のものや円弧状のものが含まれている。抑え部２８ｃは、底部２１と平行を成すように後方周壁部２２ｂや第１側方周壁部２２ｃ、案内部２８ｂ等から延びている部分であって、抑え部２８ｃと底部２１との間に出力用光ケーブル１１を挿入することができる。底部２１には、身２を壁等に固定するためのねじ（図示せず）を通すことができる貫通孔２９が形成されている。
【００１８】
図２，３に示された蓋３は、ほぼ矩形の頂部３１と、頂部３１の周縁に形成された周壁部３２とを有する。周壁部３２には、互いに平行する前方周壁部３２ａと後方周壁部３２ｂ、これら周壁部３２ａ，３２ｂに直交して互いに平行する第１側方周壁部３２ｃと第２側方周壁部３２ｄが含まれている。前方周壁部３２ａには、開口６の一部分６ｂが形成されている。図１に示すように、その一部分６ｂには頂部３１に対する切欠き部６ｃが含まれており、その切欠き部６ｃでは、閉じた状態にあるシャッター７の一部分がのぞくように形成されている。蓋３の頂部３１の色とシャッター７の色とが異なるようにしておくことによって、頂部３１を見ればシャッター７の開閉状態を知ることができる。前方周壁部３２ａ、後方周壁部３２ｂおよび第１側方周壁部３２ｃには、身２に形成された溝２６ａ，２６ｂ，２６ｃのそれぞれに嵌合してこれらの溝２６ａ，２６ｂ，２６ｃを閉じることができる突出部３６が形成されており、その突出部３６には突出部３６ａ，３６ｂ，３６ｃが含まれている。第１側方周壁部３２ｃと第２側方周壁部３２ｄのそれぞれでは、内面にフック部３７が一対ずつ形成され、縁部に小さな切欠き部３８が一対ずつ形成されている。身２に対して蓋３を閉じると、身２の周壁部２２の外側に蓋３の周壁部３２が嵌合して、フック部３７が身２のフック受け部２７に離脱可能に係合する。閉じた蓋３を身２から外すときには、切欠き部３８において、身２と蓋３との間に例えばマイナスドライバ（図示せず）を挿入して蓋３をこじるようにして弾性変形させ、これら両者２，３の係合を外して互いに離間させる。頂部３１には、シャッター７の摘み８を図１の矢印Ａ方向とその反対方向とに走行させるための長孔３３が形成されている。また、頂部３１の内面には、シャッター７の頂部７ａに形成されたリブ７７をスライド可能に嵌合させるための案内溝３４と、身２に納まるコネクタソケット１３に当接可能な隆起部３５とが形成されている。隆起部３５は、それが当接するコネクトソケット１３を底部２１に向かって押圧して、コネクタソケット１３の先端部が開口６に対して所定の位置に収納されるように作用するとともに、そのコネクタソケット１３が光ローゼット１の内部で揺動することを防いでいる。
【００１９】
図４，５，６は、図１におけるＩＶ−ＩＶ線矢視図と、Ｖ−Ｖ線矢視図と、ＶＩ−ＶＩ線矢視図とであって、図４はシャッター７の側面形状を示しており、図５，６はシャッター７の内部形状を示している。但し、これらの図はシャッター７のみを実線で示し、身２と蓋３とを仮想線で示している。シャッター７は、頂部７ａの縁から垂下するように形成された先端壁７ｂと、互いに平行してスライド方向へ延びる一対の側壁７ｃ，７ｄとを有し、頂部７ａの外面には摘み８が形成されている。側壁７ｃ，７ｄのそれぞれには、一対の平行な切欠き部７２ｃと７３ｃとの間、および切り欠き部７２ｄと７３ｄとの間にフック部７４ｃおよびフック部７４ｄのそれぞれが形成されている。図５において、シャッター７の内部に形成された突起部７１には、コイルばね２３の一端部が取り付けられており、そのコイルばね２３のもう一端部は、身２の底部２１に形成された突起部７６に取り付けられている。ばね２３は収縮状態にあって、シャッター７を矢印Ａとは反対の方向へ、すなわち開口６が閉じる方向へ付勢しており、シャッター７の先端壁７ｂを身２における第２側方周壁部２２ｄの内面に密着させている（図３参照）。
【００２０】
図６において、シャッター７は、前方周壁部２２ａと案内壁２４との間にあり、フック部７４ｃ，７４ｄのフック７５ｃ，７５ｄが前方周壁部２２ａと案内壁２４とに形成されたフック受け部７８，７９のそれぞれに図の下方から係合して、シャッター７が前方周壁部２２ａと案内壁２４との間から上方へ抜け出ることを防いでいる。シャッター７は、それを身２にセットするときに、前方周壁部２２ａと案内壁２４との間に挿入すると、フック部７４ｃ，７４ｄが図６において互いに接近する方向へ弾性変形して、フック７５ｃ，７５ｄがフック受け部７８とフック受け部７９との間を通り抜け、その後に弾性的に復帰して図６の状態になる。
【００２１】
光ローゼット１において、身２と蓋３とは、ＡＢＳ樹脂等の熱可塑性樹脂を射出成形することによって得ることができる。シャッター７もまた、熱可塑性樹脂の射出成形によって得ることができる。得られた身２は、シャッター７とばね２３とをセットした後に、適宜のねじ（図示せず）を使用して壁面等に固定する。その身２は、コネクタソケット１３を収納部２８ａに納め、コネクタソケット１３につながる出力用光ケーブル１１を溝２６ａ，２６ｂ，２６ｃのいずれかに通す。一方、蓋３では、溝２６ａ，２６ｂ，２６ｃのうちで、出力用光ケーブル１１を通してある溝に対応する突出部３６ａ，３６ｂ，３６ｃのいずれかを選び、その突出部を蓋３の周壁部３２からニッパーやナイフ等の工具によって切り取る。熱可塑性合成樹脂で形成された突出部３６は、その寸法に格別の規定はないが、光ローゼット１が家庭で使用されるものである場合の厚さと幅とはそれぞれ１〜５ｍｍ程度であれば十分であるから、切り取りが容易である。その蓋３を閉じると、身２において出力用光ケーブル１１を通していない溝２６はすべて蓋３の突出部３６で閉じることができる。このように使用される溝２６の好ましいものは、蓋３の突出部３６のいずれかを切り取って蓋３を閉じたときに生じるスペースが出力用光ケーブル１１の断面形状とほぼ同じになるように形成されている。なお、蓋３を閉じる前に、身２の内側において長さに余裕をもたせてある出力用光ケーブル１１は、適宜に選んだ案内部２８のリブに沿って這わせ、また適宜に選んだ抑え部２８ｃの下側に納めて、入力用光ケーブル１１が光ローゼット１の内側で徒に動くことがないようにする。身２と、閉じた蓋３との間では、蓋３のフック部３７が身２のフック受け部２７に係合して、身２と蓋３とが一体になり、シャッター７が開口６を閉じている。
【００２２】
このように形成されている光ローゼット１は溝２６ａ，２６ｂ，２６ｃのうちの適宜のものを選ぶことによって、その内側から様々な方向、例えばコネクタソケット１３とコネクタプラグ４とを接続する方向に対して、それと同じ方向や９０度または１８０度曲げた方向へ出力用光ケーブル１１を延出させることができる。しかし、光ローゼット１では、蓋３の周壁部３２が身２の周壁部２２の外側に嵌合することによって両周壁部２２，３２の間からの塵埃の侵入を防ぐことができることに加え、シャッター７と突出部３６ａ，３６ｂ，３６ｃとによっても塵埃の侵入を防ぐこともできるので、コネクタソケット１１の接続部を塵埃によって汚すということがない。
【００２３】
また、光ローゼット１は、その効果を次の如くにして向上させることができる。すなわち、身２と蓋３とには、開口６の内側にシャッター７を矢印Ａ方向とその反対方向とにスライドさせることができる案内溝８１，８２，３４（図３，６参照）を設けて、シャッター７の側壁７ｃ，７ｄそれぞれの下端部分８６ｃ，８６ｄ（図６参照）を案内溝８１，８２にスライド可能に嵌合させ、シャッター７の頂部７ａにおけるリブ７７を案内溝３４にスライド可能に嵌合させる。また、シャッター７が閉じているときに身２の第２側方周壁部２２ｄの内面に当接しているシャッター７の先端壁７ｂは、開口６の縁部８３，８４（図１，３参照）で隠れるようにする。なお、図示例に代えて、シャッター７にそれがスライド方向へ延びる溝を形成する一方、身２と蓋３とには、開口６の内側にその溝へ納まるリブを設けることによって光ローゼット１への塵埃の侵入を防ぐことも可能である。
【００２４】
この発明において、身２に設けるべき溝２６は、その位置やその数が光ローゼット１の設置環境に適合するように設計変更することができる。その設計変更に対応するように、蓋３に設けるべき突出部３６も設計変更することができる。また、図示例において矩形に形成されている光ローゼット１は、その他の多角形や円形、長円形等の適宜の形状に設計変更することができる。蓋３は、その周壁部３２が身２の周壁部２２に対してその内側に嵌合するように作ることもできる。
【産業上の利用可能性】
【００２５】
この発明によれば、出力用光ケーブルを様々な方向へ延出させることが可能であって、しかも塵埃の侵入を防ぐことが可能であり、構造が簡単な光ローゼットの製造が可能になる。
【図面の簡単な説明】
【００２６】
【図１】光ローゼットの斜視図。
【図２】使用状態にあるローゼットの図１と同様な図。
【図３】光ローゼットの部分破断分解図。
【図４】図１のＩＶ−ＩＶ線に沿う部分断面図。
【図５】図１のＶ−Ｖ線に沿う部分断面図。
【図６】図１のＶＩ−ＶＩ線に沿う部分断面図。
【符号の説明】
【００２７】
１    光ローゼット
２    身
３    蓋
６    開口
６ａ    第１開口
６ｂ    第２開口
７    シャッター
１１    出力用光ケーブル
１２    入力用光ケーブル
１３    出力用コネクタ
２１    底部
２２，２２ａ，２２ｂ，２２ｃ，２２ｄ    第１周壁部
２６，２６ａ，２６ｂ，２６ｃ    溝
３１    頂部
３２，３２ａ，３２ｂ，３２ｃ，３２ｄ    第２周壁部
３６，３６ａ，３６ｂ，３６ｃ    突出部
８６ｃ，８６ｄ    嵌合部
７７    嵌合部
８１    スライド溝（案内溝）
８２    スライド溝（案内溝）
【図１】
2008287081.tif 000003
【図２】
2008287081.tif 000004
【図３】
2008287081.tif 000005
【図４】
2008287081.tif 000006
【図５】
2008287081.tif 000007
【図６】
2008287081.tif 000008